(57)【要約】【課題】本発明の目的は、洪水や津波等が発生した際に避難者の安全を確保しつつも、一般家庭に備え付けることを目的として、コストを抑えつつも、通常時において避難以外の目的で利用することが可能となる浮体設備を提供することである。【解決手段】浮体設備（１）は、中空を有する浮体部（２０）と、浮体部（２０）に取り付けられ、畳むことが可能な壁部（１１ａ、１１ｂ、１２ａ、１２ｂ、１３、１４）と、壁部に取り付けられる天井部（１５）を備えている。壁部を畳むことで天井部の高さが低くなるように構成され、壁部を畳んだ状態の浮体部から天井部までの高さを１とした場合に、該壁部が直立状態の場合における該浮体部の底面から該天井部までの高さが３以上である。【選択図】図１
2020016095.tif 000002
【特許請求の範囲】
【請求項１】
避難用として利用可能な浮体設備であって、
中空を有する浮体部と、
前記浮体部に取り付けられ、畳むことが可能な壁部と
前記壁部に取り付けられる天井部を備え、
前記壁部を畳むことで前記天井部の高さが低くなるように構成され、
前記壁部を畳んだ状態の前記浮体部の底面から前記天井部までの高さを１とした場合に、該壁部が直立状態の場合における該浮体部の底面から該天井部までの高さが３以上である、浮体設備。
【請求項２】
前記浮体部は合成樹脂材料で構成されている、請求項１に記載の浮体設備。
【請求項３】
前記壁部を畳んでいない状態において、部屋設備として利用可能である、請求項１または請求項２に記載の浮体設備。
【請求項４】
前記壁部を畳んだ状態において、床設備として利用可能である、請求項１乃至請求項３のいずれか一項に記載の浮体設備。
【請求項５】
前記壁部を畳んだ状態において、壁設備として利用可能である、請求項１乃至請求項３のいずれか一項に記載の浮体設備。
【発明の詳細な説明】
【技術分野】
【０００１】
本発明は、浮体設備に関する。
【背景技術】
【０００２】
従来、通常時も有効に利用することが可能で、かつ、簡易かつ安価に構築することができ、なおかつ、洪水や津波等が発生した際に避難者の安全を確保することを可能とした避難用構造物が知られている（例えば、特許文献１、２）。
【先行技術文献】
【特許文献】
【０００３】
【特許文献１】特開２０１４−１０１７２８号公報
【特許文献２】特開２００６−１１２０８９号公報
【発明の概要】
【発明が解決しようとする課題】
【０００４】
しかし、特許文献１に示す浮体３は、避難する人を保護する壁や天井が設けられていないため、洪水や津波等が発生した際に避難者の安全確保に問題がある。また、特許文献２に示す避難台２は、津波発生時に避難することのみを目的としているため、一般家庭に備え付けることにコスト等の問題がある。また、浮体設備の運搬性にも問題がある。
【０００５】
本発明は、このようなことに鑑みてなされたものであり、洪水や津波等が発生した際に避難者の安全を確保しつつも、一般家庭に備え付けることを目的として、コストを抑えつつも、通常時において避難以外の目的で利用することが可能となる浮体設備を提供することである。また、運搬性を向上させた浮体設備を提供することである。
【課題を解決するための手段】
【０００６】
上記目的は、避難用として利用可能な浮体設備であって、
中空を有する浮体部（２０）と、
前記浮体部に取り付けられ、畳むことが可能な壁部（１１ａ、１１ｂ、１２ａ、１２ｂ、１３、１４）と
前記壁部に取り付けられる天井部（１５）を備え、
前記壁部を畳むことで前記天井部の高さが低くなるように構成され、
前記壁部を畳んだ状態の前記浮体部の底面から前記天井部までの高さを１とした場合に、該壁部が直立状態の場合における該浮体部の底面から該天井部までの高さが３以上である、浮体設備（１）によって達成される。
【０００７】
また、上記目的は、前記浮体部（１）は合成樹脂材料で構成されている、上記の浮体設備（１）によっても達成される。
【０００８】
また、上記目的は、前記壁部（１１ａ、１１ｂ、１２ａ、１２ｂ、１３、１４）を畳んでいない状態において、部屋設備として利用可能である、上記の浮体設備（１）によっても達成される。
【０００９】
また、上記目的は、前記壁部（１１ａ、１１ｂ、１２ａ、１２ｂ、１３、１４）を畳んでいない状態において、床設備として利用可能である、上記の浮体設備（１）によっても達成される。
【００１０】
また、上記目的は、前記壁部（１１ａ、１１ｂ、１２ａ、１２ｂ、１３、１４）を畳んでいない状態において、壁設備として利用可能である、上記の浮体設備（１）によっても達成される。
【発明の効果】
【００１１】
本発明によれば、洪水や津波等が発生した際に避難者の安全を確保しつつも、一般家庭に備え付けることを目的として、コストを抑えつつも、さらに通常時において避難以外の目的で利用することが可能となる浮体設備を提供することができる。また、運搬性も向上することができる。
【図面の簡単な説明】
【００１２】
【図１】本発明の実施形態による浮体設備１を説明する図である。
【図２】本発明の実施形態による浮体設備１を説明する図である。
【図３】本発明の実施形態による浮体設備１を説明する図である。
【図４】本発明の実施形態による浮体設備１を説明する図である。
【図５】本発明の実施形態による浮体設備１を説明する図である。
【図６】本発明の実施形態による浮体設備１を説明する図である。
【図７】本発明の実施形態による浮体設備１を説明する図である。
【図８】本発明の実施形態による浮体設備１を説明する図である。
【発明を実施するための形態】
【００１３】
以下、図１〜図８を用いて、本発明の実施形態による浮体設備１を説明する。なお、以下の全ての図面においては、理解を容易にするため、各構成要素の寸法や比率などは適宜異ならせて図示する場合がある。
【００１４】
図１は、本実施形態による浮体設備１の外観斜視図である。図１（ａ）は、浮体設備１を畳んだ状態の斜視図であり、図１（ｂ）は、浮体設備１を畳んでいない状態の斜視図である。
【００１５】
浮体設備１は、避難する人を収容することが可能な収容空間を有する収容部１０と収容部１０を浮せるための浮体部２０で構成される。本実施形態による浮体設備１は、収容部１０を小さく畳むことが可能である。収容部１０は、薄板の長方形状の天井部１５と薄板の長方形状の壁部１１ａ、１１ｂ、１２ａ、１２ｂ、１３、１４で構成される。また、収容部１０と浮体部２０は、合成樹脂で構成される。合成樹脂としては、例えば、フェノール樹脂、エポキシ樹脂、メラミン樹脂、尿素樹脂、不飽和ポリエステル樹脂、アルキド樹脂、ポリウレタン、熱硬化性ポリイミド、ポリエチレン、高密度ポリエチレン、中密度ポリエチレン、低密度ポリエチレン、ポリプロピレン、ポリ塩化ビニル、ポリ塩化ビニリデン、ポリスチレン、ポリ酢酸ビニル、ポリウレタン、テフロン（登録商標）、ＡＢＳ樹脂、ＡＳ樹脂、アクリル樹脂、ポリアミド、ナイロン、ポリアセタール、ポリカーボネート、変性ポリフェニレンエーテル、ポリエステル、ポリエチレンテレフタレート、グラスファイバー強化ポリエチレンテレフタレート、ポリブチレンテレフタレート、環状ポリオレフィン等の高分子化合物が含まれるがこれら以外の高分子化合物が含まれてもよい。また、収容部１０は、強度を持たせるために、金属や木材等で補強してもよい。
【００１６】
図２〜図４（ａ）は、浮体設備１を畳んでいない状態の外観図である。図２（ａ）は、浮体設備１の正面図であり、図２（ｂ）は、浮体設備１の裏面図である。図３（ａ）は、浮体設備１の平面図であり、図３（ｂ）は、浮体設備１の底面図である。図４（ａ）は、浮体設備１の左側面図である。なお、浮体設備１の右側面は、左側面と同じに現れるため、図面を省略する。
【００１７】
図４（ｂ）は、図２（ａ）に示すＡ−Ａ切断部端面図である。図４（ｂ）に示すように、天井部１５、薄板の長方形状の壁部１１ａ、１１ｂ、１２ａ、１２ｂ、１３、１４及び浮体部２０で囲まれた空間（以下、「収容空間」という。）は、少なくとも成人が１０人以上を収容することが可能である。収容空間の大きさは、短辺２２０ｃｍ×長辺４３０ｃｍ×高さ２２０ｃｍである。なお、収容空間の大きさは、これ以上であってもよいし、これ以下であってもよい。また、浮体部２０は、中空を有する形状である。中空を有することで浮体部２０の浮力を高めている。浮体部２０の厚さは６０ｃｍであるが、６０ｃｍより薄くてもよいし、６０ｃｍより厚くてもよい。
【００１８】
壁部１１ａ、１１ｂ、１２ａ、１２ｂ、１３、１４は、回転機構を支点として、回転可能に構成されている。図１（ｂ）及び図２に示すように、壁部１１ａの上端と壁部１１ｂの下端は、ちょうつがいで構成される回転機構ａ１、ａ２によって接合され、壁部１２ａの上端と壁部１２ｂの下端は、は、ちょうつがいで構成される回転機構ａ３、ａ４（不図示）によって接合される。
【００１９】
図６（ａ）は、図４（ａ）に示すＢ−Ｂ断面図とＢ−Ｂ断面図の一部を拡大した図であり、図６（ｂ）は、図６（ａ）に示すＥ−Ｅ断面図であり、図６（ｃ）は、図６（ａ）に示すＦ−Ｆ断面図である。図７は、図４（ａ）に示すＣ−Ｃ断面図である。
【００２０】
図６〜図８を用いて、壁部１１ａ、１１ｂ、１２ａ、１２ｂ、１３、１４の畳み方を説明する。
【００２１】
図６を用いて、壁部１１ｂ、１２ｂの上端に設けられる回転機構ａ９〜ａ１２を説明する。図６に示すように、壁部１１ｂの上端に回転機構ａ９、ａ１０が設けられ、壁部１２ｂの上端に回転機構ａ１１、ａ１２が設けられる。また、回転機構ａ９と回転機構ａ１０〜ａ１２は同じ構成であるため、回転機構ａ１０〜ａ１２の説明を省略する。図６（ｂ）、（ｃ）は、壁部１１ｂの上端に設けられる回転機構ａ９の断面状態を示している。回転機構ａ９は、棒状の回転支点ｂ１ａと回転支点ｂ１ａを天井部１５の下面に固定する土台ｂ１及び図６（ｃ）に示す壁部１１ｂの上端の形状で構成される。図６（ｃ）に示すように、壁部１１ｂの上端の一部に、二つの凹状が並んで形成され、この凹状に挟まれた部分に回転支点ｂ１ａを通す開口部が設けられる。この回転機構ａ９及び回転機構ａ１０によって、壁部１１ｂは、図６（ｂ）に示す点線矢印の方向に回転可能となる。このように、壁部１１ｂ、１２ｂは、回転機構ａ９〜ａ１２によって回転することができる。
【００２２】
図７に示すように、壁部１１ａの下端に回転機構ａ１３、ａ１４が設けられ、壁部１２ａの下端に回転機構ａ１５、ａ１６が設けられる。また、回転機構ａ１３〜ａ１６は、回転機構ａ９〜ａ１２と同じ構成である。回転機構ａ１３〜ａ１６のそれぞれの土台ｂ１によって浮体部２０の上面に設けられる。このように、壁部１１ａ、１２ａは、回転機構ａ１３〜ａ１６によって回転することができる。
【００２３】
図６（ａ）に示すように、壁部１３の上端付近の両端に回転機構ａ５、ａ６が設けられ、壁部１４の上端付近の両端に回転機構ａ７、ａ８が設けられる。また、図７に示すように、壁部１３、１４の下端付近には回転機構が設けられていない。壁部１３、１４は、回転機構ａ５〜ａ８によって天井部１５の下面に接合される一方で、浮体部２０には接合されないように構成される。また、回転機構ａ５と回転機構ａ６〜ａ８は同じ構成であるため、回転機構ａ６〜ａ８の説明は省略する。回転機構ａ５は、壁部１３の右端に設けられた円柱状の回転子と天井部１５の右縁部に設けられた円柱状の穴で構成される。このように、壁部１３、１４は、回転機構ａ５〜ａ８によって回転することができる。
【００２４】
図５は、浮体設備１の収容部１０を小さく畳んだ状態の正面図であり、図８（ａ）は、図５に示すＤ−Ｄ切断部端面図である。また、図８（ａ）〜（ｃ）は、浮体設備１の収容部１０を小さく畳んだ状態から収容部１０を畳んでいない状態に移行する過程を示している。
【００２５】
図４（ｂ）に示すように、浮体部２０の上面に略凹状の収納部２１が設けられる。図８（ａ）に示すように、この収納部２１に小さく畳んだ収容部１０が収納される。本実施の形態の浮体設備１は、収容部１０を収納部２１に収納した状態では、浮体部２０の上面の最も高い面と天井部１５の上面が水平線上に面一となる。このように、浮体設備１は、収容部１０を畳んだ状態の浮体部２０の底面から天井部１５までの高さを１とした場合に、収容部１０を畳んでいない状態の浮体部２０の底面から天井部１５までの高さが約４．７となるが、収容部１０を畳んでいない状態の浮体部２０の底面から天井部１５までの高さが３〜４．７であってもよいし、２〜３であってもよい。
【００２６】
図８（ｂ）は、図８（ａ）から天井部１５を上昇（引き上げた）させた状態を示している。天井部１５を上昇させることで、倒状態の壁部１１ａ、１１ｂ、１２ａ、１２ｂが直立状態に移行する（図３（ｃ）参照）。なお、壁部１１ａ、１１ｂ、１２ａ、１２ｂが直立状態に移行すると簡単に倒状態に戻らないように自動的にストッパーがかかるようにしてもよいし、水平方向に伸びる棒状の硬材で壁部１１ａ、１１ｂ、１２ａ、１２ｂを互いに支える様にしてもよい。また、浮体部２０の上面に自在に伸びる棒状の押上部を設けることで、天井部１５を上昇させる場合があってもよいし、天井部１５の上面に紐と滑車で構成された引上部を設けることで、天井部１５を上昇させる場合があってもよい。
【００２７】
天井部１５を上昇させることで、壁部１１ａ、１１ｂ、１２ａ、１２ｂが直立状態となる。この状態では、壁部１３、１４が開いた状態であり、避難者は、壁部１３、１４から収容空間への進入及び収容空間からの外出が可能である。収容空間に進入した避難者は、壁部１３、１４を下方に回転させて閉じることで、安全に避難することが可能となる。
【００２８】
また、天井部１５及び浮体部２０は、分割可能に構成されてもよい。分割可能とすることで、持ち運びをさらに容易にすると伴に収容空間の大きさを自由に決めることが可能となる。
【００２９】
次いで、浮体設備１の通常時における利用可能な実施例を説明する。
（実施例１）
浮体設備１の壁部を畳んでいない状態において、部屋設備として利用可能である。例えば、屋上や庭に浮体設備１を設けることで、浮体設備１を倉庫として利用してもよいし、母屋に隣接させて部屋として利用してもよい。なお、天井部１５の上面に太陽光パネルと浮体部２０にモーターを設け、津波や洪水等の発生時にモーターを使用して避難するようにしてもよい。
（実施例２）
浮体設備１の壁部を畳むことで床設備として利用可能である。浮体設備１の壁部を畳むことで直方体状となるため、例えば、天井部１５の上面に木目調等の装飾を施すことで、ウッドデッキとして利用可能である。
（実施例３）
浮体設備１の壁部を畳むことで壁設備として利用可能である。例えば、玄関前の目隠しに用いられる壁設備としても利用可能である。
【００３０】
上述の実施形態は、本発明の好適な一例であるので、技術的に好ましい種々の限定が付されているが、本発明の範囲は、上述の説明によって不当に限定されるものではない。また、上述の実施形態で説明される構成の全てが本発明の必須の構成要件ではない。また、上述の実施形態で説明される構成は相互に付け足したり組み合わせたりしてもよい。
【産業上の利用可能性】
【００３１】
本発明は、浮体設備に関しにおいて広く利用可能である。本発明の浮体設備は、運搬性の向上によって、避難時に用いる浮体設備以外の浮体設備においても利用可能である。運搬性の向上により、例えば、河川や海の岸沿いに、本発明の浮体設備を容易に並べて配設することができ、レストラン等の飲食物を提供するための設備としても利用可能である。また、船でけん引することで客室としても利用可能である。
【符号の説明】
【００３２】
１  浮体設備
１０  収容部
２０  浮体部
１１ａ、１１ｂ、１２ａ、１２ｂ、１３、１４  壁部
１５  天井部
ａ１〜ａ１６  回転部
ｂ１  土台
ｂ１ａ  回転子
【図１】
2020016095.tif 000003
【図２】
2020016095.tif 000004
【図３】
2020016095.tif 000005
【図４】
2020016095.tif 000006
【図５】
2020016095.tif 000007
【図６】
2020016095.tif 000008
【図７】
2020016095.tif 000009
【図８】
2020016095.tif 000010